(57)【要約】【課題】放送番組からサンプルされたクリップについてのコンテクスト情報を回復する。【解決手段】前記クリップは、前記放送番組から取得され既に認知されているディジタルフィンガープリントのデータベースに対してマッチングすることによって特定される。前記クリップが特定されることができた場合、該クリップは、マッチする放送番組についての情報に関連付けられる。放送番組から入手された前記クリップについてのコンテクストデータの喪失はこのようにして救済され、オンラインで利用可能なメディアコンテンツがメディアサーチ、自動的な放送帰属および広告ターゲット設定等の様々な目的のためにより利用可能になる。【選択図】図１
2014029709.tif 000002
【特許請求の範囲】
【請求項１】
放送番組からサンプルされてオンラインでシェアされるクリップについての番組情報を回復するための方法であって、
オンラインクリップシェアリングシステム上で利用可能であり、放送番組の少なくとも一部を含むクリップの特定するステップと、
前記クリップについてのディジタルフィンガープリントを入手するステップと、
複数の既に認知されている放送番組に対応する複数の基準フィンガープリントに対して、前記クリップのディジタルフィンガープリントをマッチングして、前記クリップに含まれる放送番組を特定するステップと、
前記特定された放送番組に関連した番組情報を入手するステップと、
前記番組情報を前記クリップに関連付けるステップと、
前記クリップに関連付けて前記番組情報をコンピュータによって読取り可能な記憶媒体に記憶するステップと、
を具備した方法。
【請求項２】
前記クリップがビデオクリップからなる請求項1に記載の方法。
【請求項３】
前記クリップがテレビ放送である請求項1に記載の方法。
【請求項４】
前記クリップシェアリングシステムは、ユーザ生成コンテンツシェアリングウェブサイトである請求項1に記載の方法。
【請求項５】
前記クリップシェアリングシステムは、ピアーツーピアー・ファイルシェアリング・ネットワークからなる請求項1に記載の方法。
【請求項６】
前記番組情報が、前記放送番組のタイトル、前記放送番組の開示時間、前記放送番組の終了時間、および、前記放送番組が放送されたチャンネルからなる一群から選択された少なくとも1つの情報からなる請求項1に記載の方法。
【請求項７】
クリップについてのサーチクエリーを受信するステップであって、該サーチクエリーが番組情報のフィールドに関する検索語を示すものであるステップと、
前記サーチクエリーにマッチする放送情報に関連付けられたクリップのリストを入手するステップと、
前記マッチするクリップのリストを提示するステップと、
をさらに具備した請求項1に記載の方法。
【請求項８】
ユーザシステムからクリップを要求するリクエストを受信するステップと、
1組の広告の各々についてのターゲット設定規準を受信するステップと、
複数の前記広告についての前記ターゲット設定規準を前記クリップに関連付けられた番組情報に適用することによって、前記リクエストされたクリップについての広告を選択するステップと、
前記ユーザシステムに対して前記クリップおよび選択された前記広告を提供するステップと、
をさらに具備した請求項1に記載の方法。
【請求項９】
ユーザシステムからクリップを要求するリクエストを受信するステップと、
前記リクエストされたクリップに関連付けられた番組情報を入手するステップと、
前記リクエストされたクリップについて帰属メッセージを生成するステップであって、該帰属メッセージは前記クリップについての番組情報の少なくとも一部を伝えるメッセージであるステップと、
前記ユーザシステムに対して前記帰属メッセージと共に前記クリップを提供するステップと、
をさらに具備した請求項1に記載の方法。
【請求項１０】
放送番組からサンプルされてオンラインでシェアされるクリップについての番組情報を回復するためのコンピュータプログラムであって、コンピュータプログラムコードを収容するコンピュータ読取り可能な記憶媒体に記憶され、コンピュータに、
オンラインクリップシェアリングシステム上で利用可能であり、放送番組の少なくとも一部を含むクリップを特定する手順と、
前記クリップについてのディジタルフィンガープリントを入手する手順と、
複数の既に認知されている放送番組に対応する複数の基準フィンガープリントに対して、前記クリップのディジタルフィンガープリントをマッチングする手順と、
特定された前記放送番組に関連した番組情報を入手する手順と、
前記番組情報を前記クリップに関連付ける手順と、
前記クリップに関連付けて前記番組情報をコンピュータによって読取り可能な記憶媒体に記憶するする手順と、
を実行させるための前記コンピュータプログラム。
【請求項１１】
前記クリップがビデオクリップからなる請求項10に記載のコンピュータプログラム。
【請求項１２】
前記クリップがテレビ放送である請求項10に記載のコンピュータプログラム。
【請求項１３】
前記クリップシェアリングシステムは、ユーザ生成コンテンツシェアリングウェブサイトである請求項10に記載のコンピュータプログラム。
【請求項１４】
前記クリップシェアリングシステムは、ピアーツーピアー・ファイルシェアリング・ネットワークからなる請求項10に記載のコンピュータプログラム。
【請求項１５】
前記番組情報が、前記放送番組のタイトル、前記放送番組の開示時間、前記放送番組の終了時間、および、前記放送番組が放送されたチャンネルからなる一群から選択された少なくとも1つの情報からなる請求項10に記載のコンピュータプログラム。
【請求項１６】
さらに、
クリップについての、番組情報のフィールドに関する検索語を示すサーチクエリーを受信する手順と、
前記サーチクエリーにマッチする放送情報に関連付けられたクリップのリストを入手する手順と、
前記マッチするクリップのリストを提示する手順と、
を前記コンピュータに実行させるようにした請求項10に記載のコンピュータプログラム。
【請求項１７】
さらに、
ユーザシステムからクリップを要求するリクエストを受信する手順と、
1組の広告の各々についてのターゲット設定規準を受信する手順と、
複数の前記広告についての前記ターゲット設定規準を前記クリップに関連付けられた番組情報に適用することによって、前記リクエストされたクリップについての広告を選択する手順と、
前記ユーザシステムに対して前記クリップおよび選択された前記広告を提供する手順と、
を前記コンピュータに実行させるようにした請求項10に記載のコンピュータプログラム。
【請求項１８】
さらに、
ユーザシステムからクリップを要求するリクエストを受信する手順と、
前記要求されたクリップに関連した前記番組情報を入手する手順と、
前記要求されたリクエストについて、該クリップについての番組情報の少なくとも一部を伝える帰属メッセージを生成する手順と、
前記ユーザシステムに対して前記クリップおよび帰属メッセージを提供する手順と、
を前記コンピュータに実行させるようにした請求項10に記載のコンピュータプログラム。
【請求項１９】
放送番組からサンプルされてオンラインでシェアされるクリップについての番組情報を回復するためのシステムであって、
複数の既に認知されている放送番組に対応する複数の基準フィンガープリントを記憶したフィンガープリントデータベースと、
複数の放送番組を含む1または複数の放送信号を受信し、前記放送番組の1または複数のフィンガープリントを入手し、該フィンガープリントを前記フィンガープリントデータベースに記憶するフィンガープリンティングシステムと、
複数の放送番組についての番組情報を記憶したプログラムデータベースと、
フィンガープリントクリップのフィンガープリントを前記フィンガープリントデータベースに記憶された基準フィンガープリントとマッチングすることによって、オンラインクリップシェアリング上で利用可能なクリップおよび該クリップの放送番組を特定するよう構成され、さらに、前記特定された放送番組に関連した番組情報を入手し、該番組情報を前記クリップに関連付けるよう構成されたマッチングシステムと、
を具備したシステム。
【請求項２０】
ユーザが多数のオンラインシェアリングシステムにわたって放送番組からのクリップを検索することを可能にする方法であって、
複数のクリップシェアリングウェブサイトを検索して該サイト上における複数のクリップを捜し出すステップと、
前記クリップを基準データベースに対してマッチングすることによって、前記クリップの少なくとも一部を特定するステップと、
前記特定されたクリップについての放送データを入手するステップと、
前記特定されたクリップについての少なくとも1つの番組情報を指定するサーチクエリーを受信するステップと、
前記サーチクエリーを満足させる番組情報に関連したクリップのリストを提供するステップと、
を具備した方法。
【請求項２１】
前記クリップはビデオクリップからなる請求項20に記載の方法。
【請求項２２】
各前記クリップの前記番組情報が、前記放送番組のタイトル、前記放送番組の開示時間、前記放送番組の終了時間、および、前記放送番組が放送されたチャンネルからなる一群から選択された少なくとも1つの情報からなる請求項20に記載の方法。
【発明の詳細な説明】
【技術分野】
【０００１】
本発明は、メディアコンテンツのオンラインシェアリングに関し、特に、典型的には、ユーザが放送番組から切り抜き(クリップ)をサンプルし、その後これらのクリップをオンラインでシェア(共用)する際に消失した番組情報を回復することに関する。また、本発明は、前記回復した番組情報の、メディアサーチ、自動的放送帰属および広告のターゲット設定等の様々な用途に関する。
【０００２】
関連出願の相互参照
本出願は、2007年9月14日に出願された米国特許仮出願No.60/972,637(これは、その出典を記載することによって本明細書の一部とする)の優先権を主張するものである。
【背景技術】
【０００３】
インターネットはユーザ作成コンテンツ(UGC)の爆発的な成長を実現しており、該UGCは、今日、膨大な数のコミュニティシェアリングウェブサイトおよびその他のオンラインシェアリングシステムからオンラインで利用可能である。多くのウェブサイトは、排他的または略排他的に、ユーザからUGCを受け取り、その後、該コンテンツを他のユーザに提供する要求を満たしている。これらのUGCのうちのあるものは該コンテンツをアップロードするユーザによって作成されるが、該コンテンツの(大部分ではないにしろ)かなりの部分は、放送番組から該コンテンツをサンブル(または“クリップ”)しその後アップロードしたユーザから得られる。このことは、放送番組から入手されたクリップの配布につきものの多数の問題につながる。
【０００４】
1つの論点は、放送番組のコンテンツが著作権のような知的所有権によって大部分が保護されていることである。この保護されたコンテンツの複写(コピー)および再配布には、UGCシェアリングウェブサイトまたはその他のオンライン手段を介して、概して、保護されたコンテンツの他人による無制限のシェアリングの影響を受けにくい権利所有者(オーナー)の許可を必要とする。従って、知的所有権に抵触することなく、放送番組から入手されたクリップのオンラインシェアリングを可能にすることが難しくなる。
【０００５】
放送番組から入手されたクリップに関する他の問題は、該クリップが入手されその後シェアされる過程に起因する。放送番組が受信契約者に初めに放送される際、該番組は、その意図されたコンテクスト(文脈)で放送される。このコンテクストには、該番組が放送される特定の時間および特定のチャンネルが含まれることがある。放送番組のコンテクストは、電子番組ガイド(EPG)のような番組ガイドに個別に記憶される番組情報として維持されてよい。典型的には放送番組についてのコンテクスト情報は喪失するので、ユーザが放送番組をサンプルしまたはディジタル化する場合には問題が生じる。これは、例えば、放送番組がそのオリジナルの放送コンテクストで再生されないので、その後における該放送番組のシェアリングは該放送番組のオリジナルの放送コンテクストから解離されるからである。特に、そのコンテンツは、もはや、その放送が再生される予定であった時間に、該コンテンツが当初含まれていたチャンネルまたは周波数で再生されず、そして、おそらく、オリジナルの放送信号に関連付けられていた識別用コンテクスト情報無しで再生されることになる。
【０００６】
さらに、放送番組は、しばしば、該番組および/または該番組についての他の情報を特定するために埋め込まれたデータを含む。例えば、テレビ番組の場合、前記データは、信号のVBI(Vertical Blanking Interval)に埋め込まれる。ユーザがオリジナルのテレビ番組からビデオクリップを入手する際のディジタル化およびサンプリンク処理は、典型的には、このような埋め込まれたデータを剥ぎ取る。従って、このような結果としてのクリップのメディアコンテンツは、もはや、該ビデオクリップの取得元である放送番組についての情報とは組合せされていない。このため、UGCウェブサイトまたはその他のシェアリングシステムにアップロードされる際、該クリップは、該クリップの入手元である放送番組についての識別情報を欠くことになる。
【発明の概要】
【発明が解決しようとする課題】
【０００７】
放送番組から入手されたクリップに関する番組情報の喪失は不幸である。というのは、このような情報が、UGCウェブサイト上における該コンテンツの潜在的な視聴者および/またはオーナー(オーナー)による該コンテンツの検索、ならびに、前記ウェブサイトまたはその他の該コンテンツの発生源のオペレータによる該コンテンツについての広告とその他の情報とのペアリングを含む様々な用途において有用であるからである。ユーザがこのような情報をマニュアルで用意することがあるが、それは本質的に信頼できず不完全である。故に、放送番組から入手されたクリップがオンラインでシェアされるときに発生する問題点に対処するための方法および技術が、現在必要とされている。
【課題を解決するための手段】
【０００８】
本発明の実施の形態は、1つのメディアコンテンツまたはクリップが放送からサンプルされその後オンラインでシェア(共用)される際に喪失することがある番組情報を回復する。オンラインシェアリングシステム上でシェアされているクリップについての番組情報を回復するために、該クリップは最初に特定、すなわち、その正体が確認される。この正体確認は、例えば、複数の放送番組から採られ既に認知されているディジタルフィンガープリントのデータベースに対して前記クリップのディジタルフィンガープリントをマッチングすることによって、実行される。前記クリップのフィンガープリントが既に認知されているフィンガープリントにマッチ(一致)した場合、前記クリップの入手元である放送番組の番組情報が、電子番組ガイドのような番組情報のデータベースから入手されてよい。前記マッチした放送番組の番組情報が入手されると、前記クリップがオリジナル放送番組から入手された際に喪失した情報を回復するために、前記番組情報が前記クリップに関連付けられる。特に、放送番組から入手されたクリップについてのコンテクストの喪失が救済され、これにより、オンラインシェアリングシステムで利用可能なクリップが様々な目的のためにより利用可能になる。このようにして回復された番組情報は、例えば、コンテンツのサーチ、自動的な帰属および広告のターゲット設定を改善するために使用されてよい。
【図面の簡単な説明】
【０００９】
【図１】本発明の一実施の形態に従って、サンプルされたクリップについての番組情報を回復するための手順を示す図。
【図２】本発明の一実施の形態に従って、サンプルされたクリップについての番組情報を回復するためのシステムを示すネットワーク図。
【図３Ａ】本発明の一実施の形態に従って、サンプルされたクリップについての番組情報を回復するための処理を示すインタラクション図。
【図３Ｂ】本発明の一実施の形態に従って、サンプルされたクリップについての番組情報を回復するための処理を示すインタラクション図。
【図４】本発明の一実施の形態に従って、複数のシェアリングシステムにわたるクリップされたコンテンツのサーチを可能にする集中型コンテンツポータルを示すシステム図。
【００１０】
これらの図は、本発明の様々な実施の形態を例示的説明目的のためにのみ示している。以下の説明から当業者に明白なように、ここに示した構造および方法の代替的な実施の形態が本発明の原理を逸脱することなく使用されてよい。
【発明を実施するための形態】
【００１１】
図1は、放送番組からクリップがサンプルされ、その後該クリップがオンラインシェアリング用にアップロードされる際に失われる番組情報を回復するための手順を示す概観図である。前記手順の一段階において、ステップ102において、フィンガープリンティングシステムは、多数の放送番組に関するディジタルフィンガープリント(電子指紋)のデータベースを作成する。このように作成されたデータベースは、前記放送番組のうちの1つに含まれる未知のクリップを特定するために使用可能な一組の基準指紋フィンガープリントを提供する。上記のフィンガープリンティングの前、後またはこれと平行して発生する他の段階において、ステップ104で、ユーザは、前記放送番組のうちの1または複数からのクリップまたはその他のコンテンツを個々にサンプルする。そして、前記ユーザは、このようにしてサンプルされたクリップを、ユーザ作成コンテンツ(UGC)シェアリングシステムのような1または複数の他のクリップシェアリングシステムにアップロードすることができる。その際、前記ユーザは、番組のオリジナルの放送コンテクストの外で、放送番組を配布している。
【００１２】
多くの理由により、あるクリップについて、該クリップが前記シェアリングシステムにアップロードされる際に喪失した番組情報を取り戻すことが望ましい。このために、ステップ106において、マッチングシステムは、基準フィンガープリントのデータベースを使用して、アップロードされたクリップの入手元である放送番組を特定し、その後、該番組の対応する番組情報が入手される。前記放送番組が前記クリップに一致した場合、ステップ108において、前記クリップシェアリングシステムは、この番組を前記クリップと対応付ける。このようにして、オリジナル放送番組からサンプルされ、オンラインでシェアされる前記クリップは、前記オリジナル放送番組のコンテクスト外であっても、その番組情報を維持することができる。
【００１３】
図1に示した手順の実施の形態は、図2に示したシステムによって実行されてよい。しかし、該手順は、図2のシステムの変更例によって実行されてもよい。図2に示した構成要素は、1つの一体化されたシステム、または、ここに説明する機能を実行するために動作する任意の数の分散したシステムによって実現されてよい。
【００１４】
図2に示すように、ブロードキャスター200は、一連の放送番組からなる伝送信号を送る。この図では1のブロードキャスター200のみが示されているが、実用的なの実施の形態では、複数のブロードキャスター200が同時に放送番組を伝送し、各前記番組は、放送メディアに適した受信機によって同調され得る。前記ブロードキャスター200は、テレビ番組、ラジオ番組、ストリーミングインターネット番組、または、1または複数の他のユーザに伝送可能なその他の種類のメディアコンテンツ、のような任意の種類のメディアコンテンツを伝送することができる。ここで、放送番組とは、放送番組全体、または、放送番組に含まれる広告を含む放送番組の任意部分を意味する。前記放送番組は、テレビ番組、ラジオ番組、ストリーミングメディア放送等(しかし、これらに限定されない)のオーディオおよび/またはビデオコンテンツからなってよい。代案として、前記放送番組は、多数の送り先にメディアコンテンツを出力可能な任意のその他のソースから生じるものでよく、伝統的な伝送メカニズムによって伝送されるコンテンツに限定されない。例えば、テレビ放送は、無線周波数、ケーブル、衛星、またはその他の特定の手段によって伝送される必要はない。
【００１５】
1または複数のユーザシステム202は、前記ブロードキャスター200から放送信号を受信し、必要に応じて、該信号に含まれる放送番組を得るために該信号を複調および／または復号するレシーバを有する。前記ユーザシステム202は、さらに、特定の番組の全部または一部のクリップを得るために前記放送番組をサンプルするためのハードウエアおよび／またはソフトウエアを含む。インターネットのようなコンピュータネットワーク214を介した通信を可能にするために、前記ユーザシステム202は、さらに、ネットワークインターフェイスを有する。このようにして、ユーザシステム202は、放送番組を入手し、該放送番組からクリップを生成し、その後、前記ネットワーク214を介して遠隔位置に該クリップをアップロードすることができる。
【００１６】
なお、ユーザシステム202は、上記機能を実行するために、任意の数のシステムおよび装置ならびにそれらの組合せからなっていてよい。例えば、ユーザシステム202は、ケーブル信号を解読してパーソナルコンピュータにビデオ信号を送るケーブルセットトップボックスからなっていてよい。前記パーソナルコンピュータは、前記ビデオ信号からディジタルビデオクリップを抽出するためのソフトウエアを含むものである。そして、前記パーソナルコンピュータは、インターネットにログインし、前記ビデオクリップをUGCシェアリングシステムにアップロードするために使用可能である。その他の例において、ユーザシステム202は、ラジオ放送を受信するためのラジオレシーバと、前記ラジオ放送のディジタル化された部分(またはクリップ)をセーブするためのソフトウエアと、前記ラジオクリップをユーザのオンラインプログにアップロードするためのソフトウエアとからなっていてよい。なお、本発明の実施の形態の範囲内で多くのその他の例も可能である。
【００１７】
前記システムは、さらに、1または複数のユーザシステム202と通信して該ユーザシステム202からクリップを受信するよう構成された1または複数のクリップシェアリングシステム210を含む。前記クリップシェアリングシステムは、少なくとも1人のユーザがクリップをアップロードすることを可能にし、その後、他のユーザが該アップロードされたクリップをダウンロードすることを可能にする任意のシステムを備えていてよい。UGCウェブサイトの一例は、ユーザがビデオクリップをアップロードすることによって他のユーザと該ビデオクリップをシェアすることを可能にするウェブサイトを含む。他の実施の形態において、前記クリップシェアリングシステム210は、ユーザがクリップをアップロードしダウンロードすることを可能にするファイルサーバのようなファイルシェアリングシステム、または、複数のユーザ間でファイルのシェアリングを可能にするピアーツーピアーネットワーク(例えば、前記クリップシェアリングシステム210が、少なくとも部分的に前記ユーザシステム202自体で実現される場合)。他の実施の形態において、前記クリップシェアリングシステム210は、特定のユーザ自身の個人的なウェブサイト、ブログ、もしくはソーシャルネットワークにおける個人化されたページ、または、多数のユーザの各々毎のコレクションを備えていてよい。この例において、1人のユーザがクリップをアップロードすることができ、当該コンテンツに対するアクセス権を有する複数のユーザは該クリップを視聴したりダウンロードすることができる。前記システム全体において、1または複数のクリップシェアリングシステム210が存在してよく、該1または複数のクリップシェアリングシステム210は、同一または複数のタイプのものであってよい。
【００１８】
前記ユーザシステム202と同様に、フィンガープリンティングシステムは、前記ブロードキャスター200から放送信号を受信し、必要に応じて、該信号に含まれる放送番組を得るために該信号を復調および／または復号するレシーバを有する。前記フィンガープリンティングシステム204は、さらに、放送番組の一部に特有のディジタルフィンガープリント(電子指紋)を生成するためのハードウエアおよび／またはソフトウエアを含む。前記フィンガープリンティングシステム204は、任意の適当なフィンガープリンティング技術を使用してよい。1つのメディアコンテンツに特有のディジタルフィンガープリントを生成するための適当な技術の一例は、2008年9月2日に付与された米国特許仮出願No.7,421,376および2005年9月1日に出願された米国特許出願No.11/219,385(これらは、出典を記載することによって本明細書の一部とする)に開示された技術を含む。
【００１９】
前記フィンガープリンティングシステム204によって生成されたディジタルフィンガープリントは、フィンガープリントデータベース206に記憶される。該フィンガープリントデータベース206は、1組の放送番組について1組の基準ディジタルフィンガープリントを提供する。該基準ディジタルフィンガープリントは、未知のメディアコンテンツを特定するために使用される。従って、前記フィンガープリントデータベース206に記憶されたフィンガープリントによって示される放送番組が多ければ多いほど、より多くの放送番組が前記フィンガープリントデータベース206を使用してマッチ可能になる。実用的な実施の形態において、例えば、多数の同時並列的な放送および／または(ラジオのように)異なる物理的位置においてのみ利用可能な放送を扱うために複数のフィンガープリンティングシステム204が存在してよい。同様に、前記フィンガープリントデータベース206は、1または多数のデータベースからなっていてよく、前記フィンガープリンティングシステム204に近くてもまたは前記フィンガープリンティングシステム204から遠くてもよい。
【００２０】
前記フィンガープリンティングシステム204は放送番組のオリジナルコンテクストからフィンガープリントを作成するので、各フィンガープリントが生成された元となる放送番組の素性(または、少なくとも、該放送のチャンネルおよび時間等の素性を判定するために十分な情報)を知ることができる。前記フィンガープリントは、特定の放送番組についての放送情報をフィンガープリントと共に前記フィンガープリントデータベース206に記憶することによって、前記放送情報に関連付けられることができる。しかしながら、各放送番組毎に多数のフィンガープリントが存在し、放送情報が単純な識別子以上にメモリを占める場合、上記の方法は効率的ではない。代案として、前記フィンガープリントは、例えば、前記放送番組に言及するインデックス値を使用して、前記放送番組自体に関連付けられてよい。これにより、その後、フィンガープリントに関連した放送番組の放送情報について番組データベース212にクエリーすることによって、前記フィンガープリントに関連した放送情報が決定され得る。
【００２１】
前記番組データベース212は、複数の放送番組の各々についての放送情報を記憶する。前記放送情報は、特定の放送番組について、典型的には該放送の種類によって決まる情報を含む。例えば、テレビまたはラジオ番組の場合、前記放送情報は、1または複数の、番組タイトル、該番組が放送されたチャンネル、放送開始および／または終了時間、該番組のコンテンツについての情報(例えば、ジャンル、筋、俳優等)、ならびに、その他の該放送番組に関連する情報を含んでいてよい。一実施の形態において、前記番組データベース212は、電子番組ガイド(EPG)を備えている。前記番組データベース212は、遠隔でネットワーク214を介してアクセス可能であり、他のエンティティによって操作されるものであってよく、または、フィンガープリンティングシステム204によってローカルに格納され、もしくは、前記番組データベース212へのアクセスを望む他のシステムに格納されてよい。
【００２２】
マッチングシステム208は、上述のシステムと通信するために前記ネットワーク214に接続されている。以下にさらに詳細に説明するように、前記マッチングシステム208は、クリップシェアリングシステム210上のクリップのフィンガープリントを前記フィンガープリントデータベース206に記憶されている基準フィンガープリントと比較することによって該クリップを特定し(正体を確認し)、該特定されたクリップの対応する番組情報を入手し、そして、該クリップについて喪失した番組情報が回復されて使用され得るよう、前記入手した番組情報を前記クリップシェアリングシステム210に提供する。
【００２３】
図3Aおよび3Bは、本発明の一実施の形態に従って、図2のシステムを使用してクリップに関連した放送情報を回復するための処理を示している。図1のステージ102に対応する第1のステップシリーズにおいて、前記処理は、後に未知のクリップを識別するために使用可能な基準フィンガープリントのデータベース206を構築する。この処理において、ブロードキャスター200はステップ302において放送番組を送信し、該放送番組は前記フィンガープリンティングシステム204によって同調され受信される。その後、前記フィンガープリンティングシステム204は、ステップ304において、様々な公知の技術を使用して、該放送番組の1または複数のディジタルフィンガープリントまたはその一部を算出する。前記フィンガープリンティングシステム204は、前記フィンガープリントを前記フィンガープリントデータベース206に記憶する。上述の如く、この処理は、複数の放送番組について、複数のブロードキャスター200から、および／または、複数のフィンガープリンティングシステム204を使用して繰り返される。
【００２４】
図1のステージ104に対応する他のステップシリーズにおいて、前記処理は、多数のユーザによるメディアコンテンツのクリッピングおよびシェリングを処理する。前記ブロードキャスター200は、ステップ308において、前記フィンガープリンティングシステム204のみならず1または複数のユーザシステム202によっても受信され得る放送番組を送信する。この送信は、前記フィンガープリンティングシステム204によって受信されたものと同じ放送であってよく、または、前記フィンガープリンティングシステム204によって受信されたものとは異なるものであって、異なる放送チャンネルを介したものであってよい。ある特定のユーザは、ステップ310において、前記ユーザシステムを使用して、前記放送番組の1または複数をサンプルすることによって該番組の全部または一部を含む1または複数のクリップを作成する。このような処理は、ユーザが放送の任意の部分のディジタルバージョンを入手することを可能にするサンプリング、レコーディング、ディジタル化またはその他のメカニズムによって行われてよい。任意に、前記ユーザシステム202を使用して前記クリップを編集してよい。ユーザは彼ら自身の目的のためにクリップを作成でき、または、ステップ312において、前記ユーザシステム202を使用して該クリップを前記クリップシェアリングシステム210にアップロードすることができる。このステップ312のアップロードは、コンテンツシェアリングウェブサイトまたはその他のファイルシェアリングシステムにログインし、前記クリップを送信し、または、ピアーツーピアーネットワークである場合、単に他のユーザシステム202によるダウンロードに利用可能なクリップを作成することからなってよい。
【００２５】
クリップがクリップシェアリングシステム210にアップロードされると、他のユーザシステムを使用して、該アップロードされたクリップが検索され、視聴および／またはダウンロードが行われ得る。しかし、上述の如く、これらのアップロードされたクリップは、典型的には、該クリップの入手元である放送番組についての有用なコンテクストの一部または全部を欠いているであろう。従って、本発明の様々な実施の形態は、前記クリップについての喪失した番組情報を回復するようになっている。主に図3Bに示されているこの機能を実行するためのステップシリーズは、所望に応じて様々なイベントのいずれかでトリガーされ、当該システムの特定の設計目標を実現するようになっていてよい。例えば、前記回復処理は、いずれかの新たなクリップが前記クリップシェアリングシステムにアップロードされたとき、前記ユーザシステム202によっていずれかのクリップの視聴またはダウンロードがリクエストされたとき、または、その番組情報が未だ回復されていないクリップについて (例えば、毎晩またはその他の低ピーク時間毎に)定期的に実行されてよい。
【００２６】
あるクリップについて喪失した番組情報を回復するために、前記クリップシェアリングシステム210は、前記クリップに関連した番組情報に関するリクエストを前記マッチングシステム208に送る。このリクエストは前記クリップのコピーを含んでいてよく、または、単に前記クリップについての参照情報もしくはその他の識別子を含んでいてよい。例えば、UGCシェアリングウェブサイトの場合、前記システム210は、前記マッチングシステム208に対して、前記クリップを視聴するためのURLを送ってよい。一実施の形態において、前記マッチングシステム208は前記クリップシェアリングシステム210内に実現され、その場合、前記マッチングシステム208は前記クリップに対するアクセス権を既に有している可能性がある。従って、前記マッチングシステム208は同じエンティティによって前記クリップシェアリングシステム210と共に操作されてよく、あるいは、第三者によって前記クリップシェアリングシステム210から遠隔で操作されてよい。
【００２７】
特定のクリップに関連付けられるべき番組情報を決定するために、前記マッチングシステム208は、前記クリップの正体を判定する。このために、前記マッチングシステム208は、前記フィンガープリンティングシステム204に該クリップを含む放送番組の正体に関するリクエストを送る。このリクエストは、前記クリップのコピーを含んでいてよく、または、単に前記クリップについての参照情報もしくはその他の識別子を含んでいてよい。前記フィンガープリンティングシステム204は、ステップ318において、上述したような任意の適当なフィンガープリンティングアルゴリズムを使用してフィンガープリントを算出するが、前記フィンガープリントデータベース206に前記フィンガープリントを生成するために使用されたものと略同じアルゴリズムが前記クリップに使用されるべきである。その後、前記マッチングシステム208は、ステップ320において、前記クリップについてのフィンガープリントを使用して、前記クリップと前記フィンガープリントデータベース206で示された放送番組とのマッチを判定する。代案として、前記マッチングシステム208は、前記クリップについてのフィンガープリントを生成し、および／または、前記クリップの正体を判定するために前記フィンガープリントデータベース206にクエリーする。2002年4月24日に出願された米国特許出願No.10/132,091または2002年4月22日に出願された米国特許出願No.10/830,962 (これらは、出典を記載することによって本明細書の一部とする)に開示されたもののような様々なマッチング技術のいずれかを適宜使用してよい。前記クエリーは、ステップ322において、判定されている番組の正体(ID)を返し、前記フィンガープリンティングシステム204ステップ324においては該番組IDをマッチングシステム208に送る。
【００２８】
前記クリップについてのフィンガープリントと前記フィンガープリントデータベース206に記憶されたフィンガープリントとの間にマッチがあると、前記クリップは、前記フィンガープリントデータベース206におけるマッチしている前記フィンガープリントが関連している放送番組から入手されたものであると特定される。特定のクリップについて前記入手元である番組情報の正体が明らかになると、該クリップは前記放送番組について知られている前記番組情報に関連付けられることができ、これにより、前記クリップについてより豊富な情報セットが提供される。一実施の形態において、前記マッチングシステム208は、ステップ326において、前記放送番組の識別子を使用して前記番組データベース212にクエリーし、前記番組データベース212は、ステップ328において、該番組に関する番組情報を返す。そして、前記マッチングシステムは、ステップ330において、前記クリップシェアリングシステム210に前記番組情報を送り、該クリップシェアリングシステム210は、ステップ332において、前記クリップで前記番組情報を回復する。代案として、前記マッチングシステム208は前記クリップを含む放送番組の識別子を送るだけでよく、その場合、前記クリップシェアリングシステム210は、例えば前記フィンガープリントデータベース206から対応する番組情報を入手する。前記クリップシェアリングシステム210は、前記番組情報または該番組情報に対する参照情報を前記クリップに関連したメモリ記憶として記憶媒体に記憶することによって、前記番組情報を前記クリップに関連付けてよい。
【００２９】
このようにして、前記クリップは、該クリップがユーザによってサンプルされアップロードされ、または、その他の方法でオンラインでシェアされたときに喪失された該クリップについてのコンテクストデータに再接続される。このようなマッチングおよび再接続は、前記クリップシェアリングシステム210を介して入手可能なクリップの多くまたは全てについて実行されることができ。前記処理は、いくつかの異なるクリップシェアリングシステム210について実行可能である。既知の(既に認知されている)クリップについて有用なコンテクストを提供する追加的なプログラム情報により、該クリップを使用するための多数のアプリケーションが可能になる。
【００３０】
図4は、上述した処理の実施の形態を適用して多数のクリップシェアリングシステム210の集中的なサーチを可能にするよう構成されたシステムを示す。この実施の形態において、コンテンツポータル402は、ユーザが多数のオンラインシェアリングシステム210をサーチしてこれらのシェアリングシステム210上で利用可能なクリップを捜し出すことを可能にする。前記コンテンツポータル402は、前記オンラインシェアリングシステム210をサーチして該システム210上で利用可能な複数のクリップを捜し出す。前記コンテンツポータル402は、該クリップに対する参照情報(例えば、該クリップがアクセス可能なURL)および該クリップを提供しているクリップシェアリングシステム210を記憶していてよい。様々なシェアリングシステム210上で利用可能なクリップが見つかると、前記コンテンツポータル402は、単独でまたは他のシステムと共に、上記処理の実施の形態を実行することにより、前記クリップを特定し、該クリップについての番組情報を入手する。その後、前記コンテンツポータル402は、前記番組情報を前記クリップに関連付けて記憶する。前記コンテンツポータル402が前記クリップシェアリングシステム210での多数のクリップについての情報およびこれらのクリップに関連付けられた番組情報を蓄積すると、ユーザシステム202は、コンテンツポータル402上のこれらの情報をサーチすることができる。特に、ユーザシステム202は、(例えば、前記放送番組のタイトルにおける検索語を有するすべての既知の(既に認知されている)クリップ、または、特定のチャンネルからのすべての既に認知されているクリップのリストを返すために)前記番組情報に基づくサーチ規準を使用して前記コンテンツポータル402をサーチすることができる。
【００３１】
一実施の形態において、前記コンテンツポータル402は、多数のUGCウェブサイトにわたってクリップを参照するウェブサイトからなる。前記コンテンツポータル402は、上述の如く、前記番組情報と他のUGCウェブサイト上で利用可能な様々なクリップとのマッチングおよび関連付けを行う。前記コンテンツポータル402は、さらに、多数のUGCウェブサイトのいずれかに存在するクリップをサーチし、ユーザをこれらのクリップに方向づけるサーチインターフェースを含む。該サーチは、回復された番組情報の使用によって、且つ、多数のUGCウェブサイトにわたるサーチおよび情報取り出しによって改善される。
【００３２】
この種の中央ウェブサイトは、さらに、コンテンツオーナー(所有者)がインターネット上で利用可能な彼らのコンテンツを捜すことを容易にし、彼らの知的所有権の侵害の取り締まりを容易にする。本発明の様々な実施の形態において、これらのクリップに関連付けられた番組情報は、コンテンツオーナーが1または複数のウェブサイトからダウンロード可能な彼らのコンテンツを捜し出す手助けをする。ISP(インターネット・サービス・プロバイダ)は、本発明の実施の形態を積極的に使用して、シェアが可能にされる前にフィルタされ得るよう保護されたコンテンツを捜し出すことができ、これにより、前記ISPが適用可能なディジタル著作権に関する法律に従うことを可能にする。
【００３３】
他のアプリケーションにおいて、前記クリップに関連付けられた番組情報は、UGCシェアリングウェブサイトのような特定のオンラインクリップシェアリングシステム210上でのコンテンツの改善されたサーチを行うために使用可能である。例えば、ユーザが特定のショウについてUGCウェブサイトをサーチする場合、該ユーザは、前記ウェブサイト上で利用可能なクリップのより信頼できるリストを入手するために前記ショウのタイトルを入力することができる。前記クリップに番組情報が付加されてない場合、アップロードするユーザは前記ショウの情報をマニュアルで入力しなければならなかったかも知れないので、サーチの結果は不完全なものになりやすい。このようなむ処理において、前記アップロードするユーザは、前記ショウのタイトル情報を付加しないことを選択し、または、不正確に付加するかもしれない。このために、本発明の実施の形態は、より信頼性が高くより効率的なUGCウェブサイトサーチを可能にする。
【００３４】
一実施の形態において、クリップシェアリングシステム210上でのクリップは、例えば、該クリップをアップロードしたユーザによって、および／または、該クリップを視聴した他のユーザによってマニュアルで提供された該クリップについての(例えば、キーワードおよび／または特定のデータフィールド)メタデータを含んでいてよい。このメタデータは、不完全、不正確またはその両方である可能性があるので、信頼できないものと考えられる。本発明の実施の形態に従って、前記クリップについて番組情報が入手されると、この信頼できないメタデータが検証される。特に、前記メタデータの一部が前記番組情報に一致すると、該クリップの他の部分はより信頼できると考えられる。逆に、前記メタデータの何も前記番組情報に一致しない場合、該クリップは信頼できないと考えられる。信頼性の程度は、ユーザに提示され、および／または、(例えば、サーチ結果においてより信頼できない検索語により低い重要度を与えるよう)前記システム210によってサーチアルゴリズムに使用される。
【００３５】
他のアプリケーションにおいて、特定のクリップに関連付けられた番組情報は、広告のより効率的なターゲット設定、および／または、前記クリップシェアリングシステム210からのクリップをダウンロードまたは視聴するユーザに提示すべき他の情報のペアリングに使用されることができる。ターゲット設定の改善は、前記クリップシェアリングシステム210が該システム210から入手可能なクリップのうちの少なくとも一部についての大幅に改善した情報セットを有するという事実によるものである。特に、この改善した情報セットは、オリジナルの放送番組を記述するものであり、広告主が彼らの広告のターゲット設定を行うためにしばしば使用する種類の情報である。従来のビデオシェアリングウェブサイトのようなシェアリングシステムでは、アップロードされたクリップに関連したメタデータは信頼できずごまかし操作し易いので、広告主は、広告費を費やしたくなかったと思われる。しかしながら、本発明の実施の形態では、前記クリップについて知られている情報は、信頼できるものであり、広告主が上記のような場で金を使う可能性を高めることができる。
【００３６】
さらに、これらの広告は、著作権オーナーによる前記クリップのコンテンツをシェアするための許可と引き換えに提示されることができる。より適切にターゲット設定された広告が可能になるので、該広告はより有益なものになり、従って、著作権オーナーが当該コンテンツの少なくとも一部のシェアリングを許可する可能性が高くなる。権利オーナーがコンテンツのシェアリングを望まない場合、または、該に一定のリミットを適用したい場合、前記クリップの入手元である放送についての改善された情報は、権利オーナーがより容易に且つより正確に1または複数のクリップシェアリングシステム210上でコンテンツを管理することを可能にする。
【００３７】
他のアプリケーションにおいて、クリップシェアリングシステム210から、帰属メッセージが自動的に生成され、クリップと共に提示される。ここで、帰属メッセージとは、クリップに関連した番組情報の全部のまたは一部を伝える情報メッセージである。該帰属メッセージは、提供されるクリップの次に提示されるか該クリップの上にかぶされるテキストおよび／またはグラフィックコンテンツからなっていてよい。代案として、前記帰属メッセージは、クリップについての番組情報をユーザに伝えるために該クリップと共に提示されるオーディオまたはビデオストリームからなっていてよい。
【００３８】
クリップがテレビ放送からものである一例において、放送情報はEPGから入手されたデータを含んでいてよい。そして、ビデオクリップは、前記帰属メッセージを含むオーバーレイグラフィックと共に表示されてよく、EPGから回復された番組情報を含む。これにより、該クリップの視聴者は、典型的には、その番組が何時放送されるのか、および／または、どのブロードキャスターまたは放送チャンネルが完全な放送番組を提供するのかについての情報から恩恵を受けることを可能にする。コンテンツオーナーは、当該クリップの入手元である放送番組の帰属および販売促進から恩恵を受け、前記クリップシェアリングシステム210が、この恩恵により、保護されたクリップをシェアすることを可能にする。
【００３９】
本発明の実施の形態についての上述の説明は、例示的な説明であり、本発明の全て網羅するものではなく、本発明を開示内容のみに限定するものでもない。当業者に理解されるように、上記開示内容に照らして多くの変更が可能である。
【００４０】
以上の詳細な説明のいくつかの部分は、本発明の特徴を情報についての処理のアルゴリズムおよび記号表現について説明している。これらのアルゴリズムおよび記号表現は、当業者がかれらの作業内容を他の当業者に最も効果的に伝えるために一般的に使用される手段である。上記の処理は、ここでは機能的、計算的または論理的に説明されているが、コンピュータプログラムまたは等価電気回路、マイクロコード等によって実現されてよい。これらの処理は、普遍性を喪失することなく、モジュールとして言及することは、折にふれて便利であることが知られている。上述した処理および該処理に関連したモジュールは、ソフトウエア、ファームウエアもしくはハードウエア、またはこれらの組合せで実施されてよい。
【００４１】
上記ステップまたは処理、1または複数のハードウエアまたはソフトウエアモジュールを単独で使用することによって、または、他の装置と組み合わせて使用することによって実行可能である。一実施の形態において、ソフトウエアモジュールが、上述したステップまたは処理のすべてを実行するコンピュータプロセッサによって実行可能なコンピュータプログラムコードを含むコンピュータによって読取り可能な媒体からなるコンピュータプログラム製品で実現される。
【００４２】
本発明の実施の形態は、さらに、上記処理を実行する装置に関する。この発明は前記要求される目的に特化して構成されてもよく、および／または、コンピュータに記憶されたコンピュータプログラムによって選択的に作動または再構成される汎用コンピューテイング装置からなっていてよい。このようなコンピュータプログラムは、コンピュータシステムバスに接続された、電子命令を記憶するのに適した有形のコンピュータによって読取り可能な記憶媒体またはその他任意タイプの媒体に記憶されてよい。さらに、この明細書に言及されているコンピューティングシステムは、単一のプロセッサを備えるものでよく、または、向上した計算能力を実現するためのマルチプロセッサ設計を使用するアーキテクチャであってもよい。
【００４３】
本発明の実施の形態は搬送波に実現されたコンピュータデータ信号に関するもとのであってもよく、この場合、前記コンピュータデータ信号は、ここに説明されたコンピュータプログラムまたはその他のデータの組合せの実施の形態を含む。前記コンピュータデータ信号は、有形の媒体または搬送波という形で提示され、前記搬送波において変調されまたはその他の方法でエンコードされる製品であり、有形のものであり、任意の適当な伝送方法に従って伝送される。
【００４４】
最後に、この明細書に使用された言語が主に読み易さおよび教示目的で選択されたものであり、本発明の主題を限定し、その境界を規定するために選択されたものではない。従って、ここでの本発明の開示は、以下の特許請求の範囲に記載した本発明の範囲を例示的に説明するものであって限定的なものではない。
【図１】
2014029709.tif 000003
【図２】
2014029709.tif 000004
【図３Ａ】
2014029709.tif 000005
【図３Ｂ】
2014029709.tif 000006
【図４】
2014029709.tif 000007
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
放送番組からサンプルされてオンラインでシェアされるクリップについての番組情報を回復するための方法であって、
オンラインクリップシェアリングシステム上で利用可能であり、放送番組の少なくとも一部を含むクリップの特定するステップと、
前記クリップについてのディジタルフィンガープリントを入手するステップと、
複数の既に認知されている放送番組に対応する複数の基準フィンガープリントに対して、前記クリップのディジタルフィンガープリントをマッチングして、前記クリップに含まれる放送番組を特定するステップと、
前記特定された放送番組に関連した番組情報を入手するステップと、
前記番組情報を前記クリップに関連付けるステップと、
前記クリップに関連付けて前記番組情報をコンピュータによって読取り可能な記憶媒体に記憶するステップと、
を具備した方法。